(57)【要約】【課題】補給用現像剤と既存の現像剤を混合撹拌しながら搬送し、現像剤への帯電性を向上させることのできる現像装置、並びに、斯かる現像装置を備えたプロセスカートリッジ及び画像形成装置を提供する。【解決手段】現像容器２内に設けられ、回転駆動される回転軸１５ａに螺旋状の回転羽根１５ｂが形成され、現像剤担持体３に向けて現像剤を搬送するスクリュー部材を備えている現像装置１において、スクリュー部材の回転羽根１５ｂは、現像剤搬送方向下流側の螺旋面上に磁界発生部材１１を有している。【選択図】図５
2007322721.tif 000002
【特許請求の範囲】
【請求項１】
磁性を有する現像剤を収容する現像容器と、
該現像容器内に設けられ、現像剤を担持搬送し、像担持体上に形成された静電像を現像する現像剤担持体と、
前記現像容器内に設けられ、回転駆動される回転軸に螺旋状の回転羽根が形成され、前記現像剤担持体に向けて現像剤を搬送するスクリュー部材と、
前記現像容器に補給用現像剤を補給する現像剤補給手段と、
を備えている現像装置において、
前記スクリュー部材の回転羽根は、現像剤搬送方向下流側の螺旋面上に磁界発生部材を有することを特徴とする現像装置。
【請求項２】
前記磁界発生部材は、前記螺旋面における半径方向外側端部近傍に配置されることを特徴とする請求項１に記載の現像装置。
【請求項３】
前記磁界発生部材は、螺旋状に形成された細長薄板状の磁石であり、螺旋面に沿って交互に異なる磁極が形成されるか、又は、螺旋面の第１面に同極を多数形成し、第２面に第１面と異なる極を多数形成したことを特徴とする請求項２に記載の現像装置。
【請求項４】
少なくとも、像担持体と、現像装置とが一体とされたプロセスカートリッジにおいて、
前記現像装置は、請求項１〜３のいずれかの項に記載の現像装置であることを特徴とするプロセスカートリッジ。
【請求項５】
画像形成装置本体に対してプロセスカートリッジが着脱自在とされた画像形成装置において、
前記プロセスカートリッジは、請求項４に記載のプロセスカートリッジであることを特徴とする画像形成装置。
【請求項６】
像担持体と、前記像担持体上の静電像を現像剤を用いて現像し可視画像とする現像装置と、前記現像装置に補給用現像剤を補給する現像剤補給手段と、を有した画像形成装置において、
前記現像装置は、請求項１〜３のいずれかの項に記載の現像装置であることを特徴とする画像形成装置。
【発明の詳細な説明】
【技術分野】
【０００１】
本発明は、一般には、電子写真方式、静電記録方式等によって像担持体上に形成された静電像を現像して可視画像とする現像装置に関するものである。更に、斯かる現像装置を像担持体と一体にカートリッジ化したプロセスカートリッジ、及び、斯かる現像装置を備えた複写機、プリンタ、ファクシミリなどの画像形成装置に関するものである。
【背景技術】
【０００２】
従来の電子写真方式を用いた画像形成装置、その中でも特に有彩色の画像形成を行うカラー画像形成装置において、非磁性トナーと磁性キャリアを混合して現像剤として使用する二成分現像方式が広く利用されている。二成分現像方式は、現在提案されている他の現像方式に比較して、画質の安定性、装置の耐久性などの長所を備えている。
【０００３】
二成分現像方式を用いた現像装置において、像担持体にトナーを供給して現像を行うと、現像剤中におけるトナー濃度が次第に低下する。このトナー濃度低下を防止するためには、新たなトナーを補給する必要がある。
【０００４】
図１１及び図１２に、従来の一般的な二成分現像装置１Ａの概略構成を示す。
【０００５】
現像装置１Ａは、像担持体２８に現像剤を供給する現像スリーブ３を備えた現像容器２有する。また、現像容器２は、現像スリーブ３の軸方向に沿って配置され、現像スリーブ３に現像剤を供給する現像剤供給部１２と、補給トナーと現像剤を混合撹拌しながら、現像剤を現像剤供給部１２とは逆方向に搬送する現像剤撹拌部１３とを有する。現像剤供給部１２と現像剤撹拌部１３は、互いに第１及び第２連通開口部１６、１７にて連通されている。
【０００６】
また、現像剤供給部１２と現像剤撹拌部１３には、それぞれ、現像剤の搬送及び撹拌を行う現像剤撹拌搬送部材１４及び１５を配設することで、現像剤を上記の現像剤供給部１２と現像剤撹拌部１３との間で循環させている。
【０００７】
尚、現像剤撹拌搬送部材１４、１５は、円筒軸１４ａ、１５ａ周面上にスパイラル形状の撹拌部材１４ｂ、１５ｂを設ける構成が一般的である。
【０００８】
画像形成によって消費された分のトナーは、トナーカートリッジ５から補給口６を通過して、現像容器２に配設された補給スクリュー８へと搬送される。次いで、補給スクリュー８の回転に従い、トナー補給開口９を介して現像容器２内に補給される。
【０００９】
補給されたトナーは、現像剤撹拌部１３において２成分現像剤と混合撹拌される際に磁性キャリアと接触して摩擦帯電する。
【００１０】
しかし、現像剤撹拌部１３における撹拌が不十分な場合は、補給されたトナーが十分に帯電されないまま第１連通開口部１６より現像剤供給部１２へ搬送される。その結果、十分に帯電されないトナーが現像動作に用いられるため画像白地部に現像剤によるかぶり、即ち、トナーかぶりが発生してしまい、画像品位の低下を引き起こす。
【００１１】
このようなトナーかぶりは、現像剤撹拌部１３の現像剤面高さ（ｈ）が高くなる程発生しやすくなる。これは、現像剤面高さ（ｈ）が撹拌搬送部材１５より高くなると補給されたトナーが現像剤中に取り込まれにくくなるために、磁性キャリアと接触することができず、十分な帯電量を得ることができないまま現像剤供給部１２に搬送されてしまうためである。
【００１２】
トナーの帯電性を向上させる手法が特許文献１に記載されている。特許文献１の現像装置によれば、
（１）撹拌スクリューの螺旋状羽根部の根元の厚さ（Ｆ）と当該撹拌スクリュウのピッチ（ｐ）を０．６≦Ｆ／ｐ≦１とする構成、
（２）撹拌スクリューの螺旋状羽根部の根元の厚さ（Ｆ）と当該撹拌スクリューのピッチ（ｐ）を０．４≦Ｆ／ｐ≦１、６ｍｍ≦ｐとする構成、及び、
（３）羽根部の軸方向のスパイラル角度θを３０〜７５度とする構成、
が提案されている。
【特許文献１】特開平１０−１７１２５１号公報
【発明の開示】
【発明が解決しようとする課題】
【００１３】
しかしながら、上記特許文献１に記載の現像装置においても、現像剤高さが撹拌スクリューよりも高くなった場合には、やはり、トナーかぶりが生じてしまう。
【００１４】
また、上述したような、現像剤撹拌部１３において現像剤面高さが高くなる現象は、現像剤撹拌部１３が現像剤供給部１２よりも鉛直方向下方となるように現像装置、即ち、プロセスカートリッジや画像形成装置が傾いて用いられる場合において顕著に発生する。
【００１５】
従って、本発明の主たる目的は、補給用現像剤と既存の現像剤を混合撹拌しながら搬送し、現像剤への帯電性を向上させることのできる現像装置、並びに、斯かる現像装置を備えたプロセスカートリッジ及び画像形成装置を提供することである。
【課題を解決するための手段】
【００１６】
上記目的は本発明に係る現像装置、プロセスカートリッジ及び画像形成装置にて達成される。要約すれば、本発明の第一の態様によれば、磁性を有する現像剤を収容する現像容器と、
該現像容器内に設けられ、現像剤を担持搬送し、像担持体上に形成された静電像を現像する現像剤担持体と、
前記現像容器内に設けられ、回転駆動される回転軸に螺旋状の回転羽根が形成され、前記現像剤担持体に向けて現像剤を搬送するスクリュー部材と、
前記現像容器に補給用現像剤を補給する現像剤補給手段と、
を備えている現像装置において、
前記スクリュー部材の回転羽根は、現像剤搬送方向下流側の螺旋面上に磁界発生部材を有することを特徴とする現像装置が提供される。
【００１７】
本発明の第二の態様によれば、少なくとも、像担持体と、現像装置とが一体とされたプロセスカートリッジにおいて、現像装置は、上記構成の現像装置であることを特徴とするプロセスカートリッジが提供される。
【００１８】
本発明の第三の態様によれば、画像形成装置本体に対してプロセスカートリッジが着脱自在とされた画像形成装置において、プロセスカートリッジは、上記構成のプロセスカートリッジであることを特徴とする画像形成装置が提供される。
【００１９】
本発明の第四の態様によれば、像担持体と、前記像担持体上の静電像を現像剤を用いて現像し可視画像とする現像装置と、前記現像装置に補給用現像剤を補給する現像剤補給手段と、を有した画像形成装置において、現像装置は、上記構成の現像装置であることを特徴とする画像形成装置が提供される。
【発明の効果】
【００２０】
本発明によれば、補給用現像剤と現像剤を混合撹拌しながら搬送する搬送路における現像剤への帯電性を向上させることができる。
【発明を実施するための最良の形態】
【００２１】
以下、本発明に係る現像装置、並びに、斯かる現像装置を備えたプロセスカートリッジ及び画像形成装置を図面に則して更に詳しく説明する。
【００２２】
実施例１
図１に、本発明に係る画像形成装置の概略構成を示す。本実施例にて、画像形成装置は、インライン式のカラー電子写真画像形成装置とされるが、本発明の画像形成装置は、これに限定されるものではない。
【００２３】
先ず、本実施例の画像形成装置の概略構成について説明する。
【００２４】
（画像形成装置の全体構成及び動作）
図１において、画像形成装置は、４つの画像形成ステーションＰ（Ｐａ、Ｐｂ、Ｐｃ、Ｐｄ）を有している。本実施例では、４つの画像形成ステーションＰは、イエロー画像形成ステーションＰａ、マゼンタ画像形成ステーションＰｂ、シアン画像形成ステーションＰｃ、ブラック画像形成ステーションＰｄとされる。
【００２５】
各画像形成ステーションＰは、像担持体としてのドラム状の電子写真感光体（以下、「感光ドラム」という。）２８（２８Ｙ、２８Ｍ、２８Ｃ、２８Ｋ）を備えている。感光ドラム２８の回りには、感光ドラム２８に静電像を形成するための、一次帯電手段としての一次帯電器２１（２１Ｙ、２１Ｍ、２１Ｃ、２１Ｋ）、及び、露光手段としてのレーザビームスキャナ装置２２（２２Ｙ、２２Ｍ、２２Ｃ、２２Ｋ）が配置される。更に、感光ドラム２８の回りには、感光ドラム２８上の静電像を現像し、可視画像（即ち、トナー像）とするための現像手段としての現像装置１（１Ｙ、１Ｍ、１Ｃ、１Ｋ）が配置される。各感光ドラム２８の下方には、各画像形成ステーションＰへと記録材としての転写紙２７を担持し搬送する転写材担持体としての転写ベルト２４が配置される。また、各感光ドラム２８と対向する位置には、転写手段としての一次転写ローラ２３（２３Ｙ、２３Ｍ、２３Ｃ、２３Ｋ）が配置されている。更に、感光ドラム２８上の転写残トナーを除去するために、感光ドラム２８と対向して、クリーニング手段としてのクリーニング装置２６（２６Ｙ、２６Ｍ、２６Ｃ、２６Ｋ）が設けられている。
【００２６】
次に、上記構成の画像形成装置における画像形成動作について説明する。
【００２７】
先ず、イエロー画像形成ステーションＰａでは、一次帯電器２１Ｙによって帯電された感光ドラム２８Ｙの表面をレーザービームスキャナ装置２２Ｙによって露光することで感光ドラム２８Ｙ上に静電像を形成する。この潜像は、現像装置１Ｙによって現像することで感光ドラム２８Ｙ上にトナー像を形成する。
【００２８】
このトナー像が一次転写ローラ２３Ｙによる転写バイアスによって、転写ベルト２４上の転写紙２７上に転写される。
【００２９】
同様の画像形成動作を、マゼンタ画像形成ステーションＰｂ、シアン画像形成ステーションＰｃ、ブラック画像形成ステーションＰｄにおいても行い、感光ドラム２８上のトナー像を順次転写紙２７上に転写する。これによって、転写紙２７上に所望のフルカラー画像を形成する。
【００３０】
転写紙２７は、転写ベルト２４から剥離され、定着装置２５によって加圧／加熱され、永久画像を得る。また、転写後に感光ドラム２８上に残った残トナーはクリーニング装置２６により除去され、次の画像形成に備える。
【００３１】
次に、上記画像形成装置に使用される現像装置の一実施例について説明する。
【００３２】
（現像装置）
以下の説明にて、現像装置１とは、イエロー用現像装置１Ｙ、マゼンタ用現像装置１Ｍ、シアン用現像装置１Ｃ及びブラック用現像装置１Ｋの総称である。
【００３３】
図２及び図３を参照して、本実施例に係る現像装置を説明する。図２は現像装置の概略構成断面図であり、図３は現像装置の上面図である。
【００３４】
現像装置１は、現像容器２を備え、現像容器２内には、非磁性トナ−と磁性キャリアからなる２成分現像剤Ｔが収容されている。初期状態の現像剤中のトナー濃度は７ｗｔ％である。この値は、トナーの帯電量、キャリア粒径、画像形成装置の構成などで適正に調整されるべきものであって、必ずしもこの数値に従わなければいけないものではない。
【００３５】
現像装置１の現像容器２は、像担持体としての感光ドラム２８に対向した現像領域Ａにおいて開口した開口部２Ａを備えている。現像剤担持体としての現像スリーブ３が、この開口部２Ａに一部露出するようにして回転可能に配置されている。現像スリーブ３は非磁性材料で構成され、その内部に、磁界発生手段である固定のマグネットロール４を内包している。
【００３６】
現像容器２は、隔壁２Ｂにより、現像スリーブ３に近い側の現像剤供給部としての現像室１２と、現像スリーブ３から遠い側の現像剤撹拌部としての撹拌室１３の二室に二分されている。隔壁２Ｂの両端部、即ち、図２にて手前側と奥側には、図３をも参照すると理解されるように、第１及び第２開口部１６、１７が形成されており、現像室１２と撹拌室１３とが連通している。
【００３７】
また、現像室１２と撹拌室１３は、それぞれ、第１搬送部材１４と第２搬送部材１５を備えており、これら搬送部材１４、１５により現像剤は現像容器２内を循環しつつ、混合及び攪拌される。つまり、本実施例では、現像室１２及び攪拌室１４は、それぞれ、第１及び第２搬送部材１４、１５による現像剤の搬送路である第１及び第２搬送路を形成する。
【００３８】
本実施例の現像装置１における現像剤循環の方向は、現像室１２においては、図２にて奥側から手前側に向かう方向、撹拌室１３においては、図２にて手前側から奥側に向かう方向である。
【００３９】
現像スリーブ３は、現像動作時には図２の矢印方向に回転し、現像剤規制部材１８により規制され、現像容器２内の２成分現像剤を層状に保持して、感光ドラム２８と対向する現像領域Ａに２成分現像剤を供給する。これによって、感光ドラム２８表面に形成されている静電像を現像し、可視画像（即ち、トナー像）とする。
【００４０】
静電像を現像した後の現像剤は、現像スリーブ３の回転にしたがって搬送され、現像容器２内の現像室１２に回収される。
【００４１】
図４をも参照すると理解されるように、現像剤補給手段としてのトナーカートリッジ５は、本実施例では略円筒形で画像形成装置本体から容易に脱着可能である。トナーカートリッジ５は、図２にて手前側から挿入し、画像形成装置に装着することができる。トナーカートリッジ５は、手前側の把手５ａを右側にひねることで回転し、補給口６が開口する。
【００４２】
なお、トナーカートリッジ５を画像形成装置から離脱する際には把手５ａを左側にひねることで補給口６が閉じ、内包する粉体（即ち、補給用現像剤）が外部に漏れることはない。
【００４３】
また、トナーカートリッジ５内には、補給用現像剤（以下、「補給トナー」という。）を搬送するための搬送スクリュー７が内蔵されている。図４にトナーカートリッジ５の内部が一部示されているが、搬送スクリュー７は、図４に示すように、樹脂フィルムなどを螺旋状にしたものを剛体の軸７ａで回転駆動するように構成される。この構成によって、軸７ａを適宜回転することでトナーカートリッジ５内のトナーを搬送し、補給を補助する。
【００４４】
現像装置１内の現像剤の濃度は、現像剤濃度検知装置１０により検知され、画像形成によって消費された分のトナーは、トナーカートリッジ５から補給される。トナーカートリッジ５内の補給トナーは、搬送スクリュー７の回転力と重力によって、トナーカートリッジ５から補給口６を通過して、現像容器２に配設された補給スクリュー８へと搬送される。次いで、補給スクリュー８の回転に従い、トナー補給開口９を介して現像容器２内に補給される。
【００４５】
次に、本実施例にて用いられる２成分現像剤Ｔについて説明する。
【００４６】
２成分現像剤Ｔを構成する非磁性トナーは、結着樹脂、着色剤、そして、必要に応じてその他の添加剤を含む着色樹脂粒子と、コロイダルシリカ微粉末のような外添剤が外添されている着色粒子とを有しおり、粉砕法により製造した負帯電性のポリエステル系樹脂である。体積平均粒径は５μｍ以上、９μｍ以下が好ましい。本実施例では７．２μｍであった。
【００４７】
又、磁性キャリアは、例えば表面酸化或は未酸化の鉄、ニッケル、コバルト、マンガン、クロム、希土類などの金属及びそれらの合金、又は、酸化物フェライトなどが好適に使用可能である。これらの磁性粒子の製造法は特に制限されない。そして、キャリアは、重量平均粒径が２０〜５０μｍ、好ましくは３０〜４０μｍであり、抵抗率が１０7Ωｃｍ以上、好ましくは１０8Ωｃｍ以上である。本実施例では１０8Ωｃｍのものを用いた。
【００４８】
尚、本実施例にて用いられるトナーについて、体積平均粒径は、以下に示す装置及び方法にて測定した。
【００４９】
測定装置としては、コールターカウンターＴＡ−II型（コールター社製）、個数平均分布、体積平均分布を出力するためのインターフェース（日科機製）及びＣＸ−Ｉパーソナルコンピュータ（キヤノン製）を使用する。そして、電解水溶液として、一級塩化ナトリウムを用いて調製した１％ＮａＣｌ水溶液を使用した。測定方法は以下に示す通りである。
【００５０】
即ち、上記の電解水溶液１００〜１５０ｍｌ中に分散剤として界面活性剤、好ましくはアルキルベンゼンスルホン酸塩を０．１ｍｌ加え、測定試料を０．５〜５０ｍｇ加える。試料を懸濁した電界水溶液は超音波分散器で約１〜３分間分散処理を行ない、上記のコールターカウンターＴＡ−II型により、アパーチャーとして１００μｍアパーチャーを用いて２〜４０μｍの粒子の粒度分布を測定して体積平均分布を求める。こうして求めた体積平均分布より、体積平均粒径を得る。
【００５１】
また、本実施例にて用いられるキャリアの抵抗率は、以下の方法にて測定した。
【００５２】
即ち、測定電極面積４ｃｍ、電極間間隔０．４ｃｍのサンドイッチタイプのセルを用いて、片方の電極に１ｋｇの重量の加圧下で、両電極間の印加電圧Ｅ（Ｖ／ｃｍ）を印加して、回路に流れた電流から、キャリアの抵抗率を得る方法によって測定した。
【００５３】
（攪拌室の搬送部材）
次に、本実施例の特徴的な部分である、第２搬送路としての撹拌室１３の搬送部材、即ち、第２搬送部材１５について説明する。
【００５４】
図３を参照すると、第１搬送部材１４及び第２搬送部材１５は、共に、軸径（ｄ）が６ｍｍとされる軸１４ａ、１５ａと、直径（Ｄ）が１６ｍｍのスパイラル形状（即ち、螺旋状）の回転羽根１４ｂ、１５ｂとを備えている。また、回転羽根１４ｂ、１５ｂは、本実施例では、１５ｍｍピッチ間隔（Ｐ）で軸周面上に配設されている。
【００５５】
また、第１搬送部材（以下、「第１スクリュー」という。）１４及び第２搬送部材（以下、「第２スクリュー」という。）１５は、それぞれの現像剤搬送方向下流端部に螺旋状の戻し回転羽根１４ｃ、１５ｃを有している。戻し回転羽根１４ｃ、１５ｃは、対応する第１スクリュー１４及び第２スクリュー１５の捩れ方向とは逆方向の捩れとされ、現像剤搬送方向とは逆方向に現像剤を押し戻す作用を成す。これによって、第１及び第２連通開口部１６、１７における現像剤の受け渡しを円滑にしている。
【００５６】
本実施例によると、第２スクリュー１５の回転羽根１５ｂの下流側面上に、磁石とされる磁界発生部材１１が設けられる。
【００５７】
図５（ａ）は、第２スクリュー１５を説明する概略構成斜視図である。
【００５８】
第２スクリュー１５は、スパイラル状の回転羽根１５ｂの現像剤搬送方向下流側面の外周端に沿うように磁石１１がスパイラル状に設けられる。
【００５９】
つまり、本実施例では、磁石１１は、細長薄板状の磁石であり、第２スクリュー１５の回転羽根１５ｂの現像剤搬送方向下流側螺旋面における半径方向外側近傍に螺旋状に配置される。本実施例では、磁石１１は、図５（ｂ）に示すように、幅（ｗ）が２ｍｍ、厚さ（ｔ）が１ｍｍとされ、回転羽根１５ｂの螺旋面に接着剤、或いは、溶着などにて一体に固定される。
【００６０】
尚、現像剤循環性能のために現像剤搬送方向とは逆向きに現像剤を搬送する上記戻し回転羽根１５ｃには磁石１１は設けない。
【００６１】
磁石１１としては、Ｓｍ―Ｃｏ系磁石、Ｎｄ−Ｆｅ−Ｂ系磁石、フェライト系磁石等１００ｍＴ以上の磁束密度を有するもので有れば良い。本実施例ではフェライト系磁石を使用した。また、磁石１１の磁束密度は２００ｍＴであった。
【００６２】
磁石１１は、図５（ｃ）に示すように、厚み（ｔ）方向両側面に、それぞれ異なる磁極を形成することができる。即ち、螺旋面の第１面に同極（例えばＳ極）を多数形成し、反対側の第２面に第１面と異なる極（例えばＮ極）を多数形成することができる。また、図５（ｄ）に示すように、螺旋面に沿って交互に異なる磁極（Ｓ極とＮ極）を配置するように形成してもよい。
【００６３】
さらに、本実施例の現像装置１においては、図３に示すように、トナー補給開口９の略中心位置は、即ち、トナーカートリッジ５から第２スクリュー１５に対するトナー補給位置は、第２開口部１７より、現像剤搬送方向下流側とされる。本実施例では、トナー補給位置Ｔｐは、即ち、撹拌室１３の現像剤搬送方向上流側の第２連通開口部１７を形成する隔壁２Ｂの端部２Ｂａから下流方向の距離（Ｌｔ）は、１０ｍｍとされる。
【００６４】
（帯電付与性）
以下に、本実施例の現像装置１における、補給トナーへの帯電付与性についての実験結果について述べる。
【００６５】
［実験］
本実験では、トナー補給開口９においてトナー１ｇを補給し、この補給されたトナーの第１連通開口部１６における帯電量を測定した。
【００６６】
図６及び図７に本実験におけるトナー帯電性の結果を示す。トナー帯電性は、トナー３０００個の帯電量をＨＯＳＯＫＡＷＡ  ＭＩＣＲＯＮ  Ｃｏｒｐ．社製のＥ−Ｓｐａｒｔ  Ａｎａｌｉｚｅｒによって測定した。
【００６７】
画像白地部にトナーかぶりするトナーは、周知の通り、正規の極性と逆極性（本実施例のトナーの場合は正極性）、又は、帯電量０のトナーである。
【００６８】
従って、第２スクリュー１５の現像剤搬送方向上流側に補給されたトナーが全て、第２スクリュー１５の現像剤搬送方向下流側の第１連通開口部１６において負極性であれば、トナーかぶりすることはない。
【００６９】
更に、図６及び図７中に示す角度θは、図２に示す現像装置１の位置から、図８に示すように、現像室１２を鉛直上方向に、撹拌室１３を鉛直下方向に傾けた角度（以下、「傾斜角度θ」という。）である。
【００７０】
図６に第２スクリュー１５に磁石を取り付けない場合のトナー帯電性を示す。この場合、傾斜角度が５°より大きくなると、第１連通開口部１６において正極性又は帯電量０のトナーが存在してしまう。この理由を以下に説明する。
【００７１】
図９（ａ）で示すように、傾斜角度θが大きくなるほど現像剤Ｔの重力方向と現像剤搬送方向との関係が変化し、現像剤Ｔが現像室１２へ搬送されずらくなる。その結果、撹拌室１３に収容する現像剤量が増加してしまい、傾斜角度が５°以上になると第２スクリュー１５の回転羽根１５ｂが現像剤に覆われた状態となり（図８参照）、補給したトナーＴｓを既存の現像剤Ｔ中に取り込むことができなくなる。従って、補給トナーＴｓは十分にキャリアと摩擦帯電することなく、第１連通開口部１６まで搬送されることとなる。
【００７２】
次に、図７に、第２スクリュー１５の下流面側に磁石１１を取り付けた場合のトナー帯電性を示す。
【００７３】
本実施例の現像装置１の場合、傾斜角度が１０°以下では第１開口部１６において正極性又は帯電量０のトナーが存在しない。この理由を以下に説明する。
【００７４】
前述のように、傾斜角度θが大きくなるほど撹拌室１３に収容する現像剤量が増加してしまうが、図９（ｂ）に示すように第２スクリュー１５に取り付けた磁石１１の磁気力と回転動作により、現像剤Ｔ上を浮遊する補給トナーＴｓは磁石周辺の現像剤とともに現像剤Ｔ中に取り込まれる。従って、補給トナーＴｓは十分にキャリアと摩擦帯電することができる。
【００７５】
以上説明したように、本実施例の現像装置１の構成とすることにより、補給トナーＴｓと既存の現像剤Ｔを混合撹拌しながら、現像剤を現像室へと搬送する撹拌室におけるトナーへの帯電性を向上させることができる。そのために、現像装置、即ち、画像形成装置が傾いて用いられる場合においても画像白地部へのトナーかぶりを防止することが可能となる。
【００７６】
更に、上記構成の本実施例の現像装置の作用効果についてより詳しく説明する。
【００７７】
一般に、補給したトナーをキャリアと十分に摩擦帯電させるためには、現像剤撹拌部に以下の３つの性能が必要とされる。
（１）補給トナーを現像剤中に取り込む取り込み性
（２）補給トナーを解す分散性
（３）補給トナーを現像剤中でキャリアと混ぜ合わせる混合性
である。上記各項目について以下に説明する。
【００７８】
一般に、現像装置へのトナー補給は、現像剤循環経路を循環している現像剤上にトナーを自由落下させる方式が多いが、この方式の場合、補給トナーは現像剤上を浮遊し易い。
【００７９】
補給トナーを現像剤中のキャリアと混合するためには、まず、現像剤上を浮遊する補給トナーを現像剤中に取り込む必要がある。そのため、一般的な現像装置では円筒軸周面上にスパイラル形状の部材を設けた、所謂、スクリューにより補給トナーを現像剤中に取り込んでいる。更なる取り込み性の向上を図る場合には円筒軸周面上に四角形や台形形状の部材を追加して設けることもある。
【００８０】
一般に、トナー補給精度の安定化のため、現像装置に補給される直前のトナーに或る程度の圧力を施し、或る程度凝集した状態にして、補給することが多い。そのため、補給トナーを現像剤中のキャリアと均一に混合するためには、この或る程度凝集した状態のトナーを解し、分散させる必要がある。そのため、一般的な現像装置では前述のスクリューにより補給したトナーを解し、分散させている。
【００８１】
トナーを十分に帯電させるためには、トナーとキャリアを数多く接触させる混合動作を積極的に行う必要がある。そのため、一般的な現像装置では前述のスクリューにより補給したトナーとキャリアとの混合を行っている。
【００８２】
補給したトナーを十分に帯電させるためには、スクリューによりこれら３つの性能を満足することが必要であるが、従来の現像装置構成では補給トナーの取り込み性能が低いために、トナーかぶりが発生していた。
【００８３】
実質的に二成分現像剤の搬送及び撹拌を行うのは撹拌部材である。そのため現像剤撹拌部においては撹拌部材の現像剤搬送方向下流面上側（以下、「下流側面上」という。）近傍の現像剤面高さが最も高くなるために、補給トナーの取り込み性能の低下が発生していた。
【００８４】
そこで、本実施例の現像装置は、現像剤撹拌室の現像剤撹拌搬送部材のスパイラル形状の撹拌部材下流側面上に磁界発生部材を設ける。これにより、スパイラル形状の撹拌部材の下流側面上に二成分現像剤による磁気穂を形成し、この磁気穂によって上記補給トナーの取り込み性能を向上させている。
【００８５】
従って、従来の現像装置と比較して、本実施例に係る現像装置は、補給トナーの取り込み性能が著しく高い。つまり、現像剤撹拌室におけるトナーへの帯電性が著しく高い。そのため、画像形成装置、即ち、現像装置が傾いて用いられる場合においても十分に補給トナーを帯電することができ、それによって、画像白地部へのトナーかぶりを防止することができる。
【００８６】
更に、前記磁界発生部材は撹拌部材の下流側面上全域に設ける必要は無く、撹拌部材の半径方向端部近傍に設ければ良い。つまり、現像剤面高さが搬送部材と略同じ高さ若しくは撹拌部材よりも高くなった場合における取り込み性の低下を防止すれば良い。
【００８７】
上記実施例の説明にて理解されるように、補給現像剤と現像剤を混合撹拌しながら、現像剤を現像室に搬送する攪拌室におけるトナーへの帯電性を向上させることができる。それによって、画像形成装置が傾いて用いられる場合においても画像白地部へのトナーかぶりを防止することを防止することが可能となる。
【００８８】
（プロセスカートリッジ）
本実施例の画像形成装置において、上記現像装置１は、図１０に示すように、感光体ドラム２８、一次帯電器２１及びクリーニング装置２６と共にカートリッジ化したプロセスカートリッジ３０とすることができる。この場合においても、本実施例と同様の効果を有することは言うまでもない。
【００８９】
尚、図１０には、トナーカートリッジ５は、図示されていない。プロセスカートリッジ３０は、該プロセスカートリッジ３０を画像形成装置本体に装着した状態で、装置本体に装着されたトナーカートリッジ５と作動的に連結され、トナーカートリッジ５からの補給用トナーの補給を受け得るように構成されている。
【００９０】
一般に、プロセスカートリッジは、感光ドラムが寿命に達したり、現像装置内の現像剤が著しく劣化した場合において、プロセスカートリッジ全体を画像形成装置本体から取り出し、新しいプロセスカートリッジを装着することができる。これにより、画像形成装置を復帰することができるので、メンテナンス性の向上を図ることが可能となる。
【００９１】
また、この高メンテナンス性のため、機器交換の専門知識を有するサービスマンに頼ることなく、ユーザ自身が行なうことができるので、レーバーコストの低減による、画像形成装置のランニングコストの低減も可能となる。
【００９２】
プロセスカートリッジの場合にも、上記現像装置１を用いているため、撹拌室１３における現像剤の動きに関しては、図２及び図３を参照して説明した現像装置と同様である。又、撹拌室１３における補給トナーの帯電付与性に関しても、図６及び図７で示した現像装置と同様の特性を有する。
【００９３】
つまり、プロセスカートリッジ３０、即ち、現像装置１の傾斜角度θが大きくなり、撹拌室１３に収容する現像剤量が増加した場合においても、以下の効果が得られる。すなわち、第２スクリュー１５に取り付けた磁石１１の磁気力と回転動作により、現像剤上を浮遊する補給トナーは磁石周辺の現像剤とともに現像剤中に取り込まれ、補給トナーは十分にキャリアと摩擦帯電することができる。
【００９４】
尚、プロセスカートリッジ３０は、本実施例では、感光体ドラム２８、一次帯電器２１、クリーニング装置２６、現像装置１を一体化したものであるが、特にこの構成に限定されるものではない。つまり、ユーザのメンテナンス性及び各要素の寿命等を考慮してプロセスカートリッジの構成を適宜決めれば良く、例えば、少なくとも、感光体ドラム２８と現像装置１とを一体化したものであってもよい。更には、現像装置のみをカートリッジ化して、画像形成装置本体に対して着脱自在とすることも可能である。
【００９５】
尚、本実施例にて画像形成装置は、インライン式のカラー画像形成装置であるとして説明したが、これに限定されるものではなく、インライン式のカラー画像形成装置は、本発明の画像形成装置の一例に過ぎない。本実施例の特徴ある現像装置は如何なる構成の画像形成装置においても、本実施例と同様の効果を有することは言うまでもない。
【００９６】
例えば、上記実施例の画像形成装置は、各画像形成ステーションの画像を記録材に直接転写する直接転写方式のカラー画像形成装置とされたが、これに限定されない。例えば、一旦各画像形成ステーションの画像を中間転写体に転写し、その後、中間転写体から記録材に転写する中間転写方式のカラー画像形成装置とすることも可能である。勿論、画像形成装置は、カラー画像形成装置に限定されるものではなく、モノクロの画像形成装置とすることもできる。
【００９７】
以上、上記実施例によって本発明の現像装置、プロセスカートリッジ及び画像形成装置を説明したが、上記説明した構成に限られるものではなく、種々の変更態様の構成をとることが可能である。
【図面の簡単な説明】
【００９８】
【図１】本発明に係る画像形成装置の一実施例を説明する概略構成図である。
【図２】本発明に係る現像装置の一実施例の概略構成を示す断面図である。
【図３】本発明に係る現像装置の一実施例の概略構成を示す上面図である。
【図４】トナーカートリッジを説明する斜視図である。
【図５】本発明に係る現像装置に用いた搬送部材の一実施例を示す図で、図５（ａ）は搬送部材の概略図であり、図５（ｂ）は搬送部材の一部拡大図である。図５（ｃ）、（ｄ）は、螺旋状磁石における磁極構成を示す斜視図である。
【図６】従来の現像装置におけるトナー帯電付与性を説明する図である。
【図７】本発明に従った構成の現像装置におけるトナー帯電付与性を説明する図である。
【図８】現像装置が傾斜した状態を説明する概略構成図である。
【図９】本発明の現像装置における撹拌室における現像剤の動きを説明する図である。
【図１０】本発明に係る現像装置を用いたプロセスカートリッジの一実施例を説明する概略構成図である。
【図１１】従来の現像装置の概略構成を示す断面図である。
【図１２】従来の現像装置の概略構成を示す上面図である。
【符号の説明】
【００９９】
１          現像装置
２          現像容器
２Ｂ        隔壁
３          現像スリーブ（現像剤担持体）
４          マグネットロール（磁界発生手段）
５          トナーカートリッジ
６          トナー補給口
８          補給スクリュー
１０        現像剤濃度検知装置
１１        磁界発生部材
１２        現像室（第１搬送路）
１３        撹拌室（第２搬送路）
１４        第１スクリュー（第１搬送部材）
１５        第２スクリュー（第２搬送部材）
１４ａ、１５ａ      回転軸
１４ｂ、１５ｂ      回転羽根
１６        第１開口部
１７        第２開口部
２１        一次帯電器
２５        定着装置
２６        クリーニング装置
２８        感光ドラム（像担持体）
２９        転写紙
３０        プロセスカートリッジ
１００      画像形成装置
【図１】
2007322721.tif 000003
【図２】
2007322721.tif 000004
【図３】
2007322721.tif 000005
【図４】
2007322721.tif 000006
【図５】
2007322721.tif 000007
【図６】
2007322721.tif 000008
【図７】
2007322721.tif 000009
【図８】
2007322721.tif 000010
【図９】
2007322721.tif 000011
【図１０】
2007322721.tif 000012
【図１１】
2007322721.tif 000013
【図１２】
2007322721.tif 000014